(57)【要約】      （修正有）【課題】健やかな睡眠を得るに、枕を使用して、適正な仰向けの姿勢をつくり、この姿勢を一定の時間保持するため、枕とマットの重合された複雑な歪を小さくして安定的に頭部を支えられる枕を提供する。【解決手段】枕の構成を大きく二つの部分に分けて、基礎的な役割の剛体の台と、台の上に乗せて頭部５と接触するクッションの部分すること、又台の部分は、首側が高く頭頂側が低い斜面で頭部５を支える形となすことによって局部的な圧力を分散して支える方法によって解決したものである。又、上体を起こして枕を使用する方も多いことから、台の部分の高さと斜面の角度の調節を可能となして、広い用途に対応して利用できる枕となしたものである。【選択図】図１０
2013158639.tif 000002
【特許請求の範囲】
【請求項１】
枕の中央部（概略、頭部５の幅程度）へ、首筋から頭部５を支える手段として、図３に示した台形柱型枕台１２を利用した枕。
【請求項２】
枕の中央部（概略、頭部５の幅程度）へ、首筋から頭部５を支える手段として、図４に示した下駄型枕台１３を利用した枕。
【請求項３】
図８に示した、傾斜角と高さの調節を行う枕台１６を応用した枕。
【請求項４】
図９に示した、高さ及び前後左右を傾斜させる機能を付加した枕台５２を応用した枕。
【請求項５】
図１０に示した、高さ及び前後左右を傾斜させる機能を付加した枕台５２へ、先の提案による枕６０Ｗを乗せた構造の枕。
【請求項６】
図９に示した、高さ及び前後左右を傾斜させる機能を付加した枕台５２へ、図１１に示した、本発明によるシングルカム型の枕６０Ｓを乗せた構造の枕。
【請求項７】
図６に示した、高さの調整板を敷設できる構造の板型アダプターセット１５。
【請求項８】
図１１に示した、本発明によるシングルカム型の枕６０Ｓ。
【請求項９】
図１２に示した、本発明による壁付きシングルカム６５を応用した枕。
【請求項１０】
請求項３で示した枕を、椅子の背もたれに敷設した椅子。
【請求項１１】
請求項４で示した枕を、椅子の背もたれに敷設した椅子。
【請求項１２】
請求項３で示した枕を、姿勢の変更及び姿勢の矯正、又はリラクゼーション用として応用した機器。
【請求項１３】
請求項４で示した枕を、姿勢の変更及び姿勢の矯正、又はリラクゼーション用として応用した機器。
【発明の詳細な説明】
【技術分野】
【０００１】  本発明は、枕に関するものである。
【背景技術】
【０００２】  枕は人間の睡眠に欠かせない重要な器具である。
睡眠は脳を除く肉体の、すべての機能を疲労から回復させると共に、脳自身も休息するための重要なものである。
旧来の睡眠は、敷布団やベッド上のマット（以下、これらをマットと言う）の上に、水平に横たわり眠ることが普通であったが、最近は入院患者でなくとも生活パターンの関係で、胸やけぎみ（胃食道逆流症等）の人や短時間睡眠の必要な人のなかには、上半身を少し起こした形にベッドをセットして（胃の位置より首から上が充分に高くなるようにして）横たわり眠る人も増えている。
又、仕事や勉強、趣味や遊びと多忙な現代の生活環境の中においては、短時間で効率の良い睡眠が必要であり、不眠症や無呼吸症候等で悩む人も多い。
しかし、枕については、図２に示す従来から広く使用されている枕７の形が主流であって、クッション材の部分８や芯の部分９及び生地類などの、素材的な改良は見られるものの、機構や機能的な改善が無いのが現状である。
本発明は、従来の枕の機能を改善して良質な睡眠を得る枕を提供し、人々の健康維持へ役立たせることを目的としたものである。
【発明の開示】
【発明が解決しようとする課題】
【０００３】  人間の睡眠は、眠っている全時間を同じ姿勢で眠るわけではない、基本的にはマットの水平面に両肩を接し、枕の上に頭部を乗せ、体が左右対称となるように伸ばして横たえた仰臥の姿勢を基本として睡眠を導入する。
枕に頭部を乗せることは、仰向けの姿勢で横たわるとき、頭部から首・肩の間をバランスよく支えて、精神的・肉体的なストレスを小さくして、睡眠直前に安静感・安心感・開放感を得て、睡眠の導入を容易とする為である。
他方、睡眠直前に安静感・安心感・開放感を充分に得て、睡眠を行なうことは睡眠の導入の他、睡眠の質を高めることとなる。
人が仰向けに寝た場合、安静感・安心感・開放感得てリラクゼーションして睡眠に入るための枕は、以下の三項目を満足する機能を有する枕となすことが必要である。（以下、図１を参考として説明する）
（１）体の力を抜いた状態で、頭部５が安定して支えられていること。（ぐらぐらと揺れ動かないこと）
（２）枕が受ける負荷（圧力）の大部分は首筋の底部ｃ〜後頭部の底部ｄの周辺を支えることで受けている。
従って、首の裏側ｃ〜後頭部の凸部ｄの周辺を、バランスよく圧力を配分して支える機能とすること。
（３）睡眠中は全睡眠区間中、同じ状況ではなく、レム睡眠区間やノンレム睡眠の区間があり、姿勢も体の状況に応じて動かすが、このような場合に無理なく動けること。（寝返りが打てること）
以上、三項目の必要条件を満たす為の課題は次のとおりである。
必要条件、上記（１）の頭部５が安定する方法については、汎用の枕図２においては後頭部が窪み７Ｄへ嵌るようにして使用することで解決するが、この形の場合、三項目上記（３）の自由な動きの妨げとなる。
必要条件、上記（２）に付いては、個々の体型の違いと、個々の好みによっても異なるので複雑となる。
上記（２）の課題に付いては、従来の手法としては、個々の体型に合わせて設計製作された、個人専用の特別注文の枕として販売されているが、これらの枕は、主として枕の高さ（図１の、点ｃ〜点ｃ’間の距離Ｈ１と点ｄ〜点ｄ’間の距離Ｈ２）を実測して使用感を確認して製作されたものであるが、この枕の使用するマットと設計用に使用したマットとが異なること、及び、枕のクッションは使用時間内で歪みの量が変化すること、又上体を少し起こした使用等の場合においては、意図した効果が発揮できない欠点がある。
図２に示した、従来から広く使用されている汎用の枕７のように、クッション材の部分８と芯の部分９を一体化して、フレキシブルな性能を持たせた構造の枕場合には、その枕を設置するマットの歪や水平度により、首の裏側ｃ〜頭部５までの間より、枕が受ける負荷の形が変化するため、従来の枕では充分な形状保持への対応が出来ていないのが現状である。
本発明の課題は、マットの上で身体を仰臥の姿勢として睡眠を導入する時に用いる枕において、その枕の機能を、枕を設置するマットの種類や上体の傾斜角度の変化に対応して、広い範囲の設置条件で枕としての機能（先に記述した三項目）を発揮させることを課題とした。
【課題を解決するための手段】
【０００４】  枕を設置するマットの歪の影響を小さくするための手法は、クッション性の小さな素材を用いた、剛体の台をベースとして、剛体の台の上に、適度に圧力を分散し、快適な使用感を高めるに必要なクッションを配置することで足りる。
剛体の台で、首の裏側ｃ〜後頭部の凸部ｄからの負荷（圧力）を支える場合に、剛体の台の底面積を、首の裏側ｃ〜後頭部の凸部ｄから圧力を直接受ける面積より大きく設計することにより、首の裏側ｃ〜後頭部の凸部ｄからの負荷（圧力）を平均化すると共に小さく分散してマットへ伝えることから、マットの歪（枕の中央部からの曲がりと全体の沈み込み）を小さく抑えることが出来る。
他方、首の裏側ｃと後頭部の凸部ｄを結ぶ直線は、直線Ｘ−Ｘ’首が水平であれば、直線Ｘ−Ｘ’に対し首の裏側ｃが高く後頭部の凸部ｄが低い斜線となる。
（但し、図１に示す姿勢と異なり、極端に頭部５だけを持ち上げた姿勢をとった場合は、首の裏側ｃが、後頭部の凸部ｄより低い斜線となる）
従って、枕が首の裏側ｃ〜後頭部の凸部ｄから受ける負荷（圧力）の方向は、垂直な方向の力の他、首の裏側ｃと後頭部の凸部ｄを結ぶ斜線の傾きに応じた水平方向の力が働き枕を歪ませる。
故に、枕の使用前の状態と使用後の状態は、負荷によって出来た歪により、形状が変化する、又使用直後と使用時間が経過した後の枕の形状は異なり、最適な枕の使用位置を定めることに時間が掛かる。
本発明は、図１に示す仰向けの姿勢の寝姿を基本とした場合、その用いる枕の構造を次のように改良することで課題を解決した。
（１）枕を、剛体で作った（基礎的な役割の）台の部分と、体の一部への局部的な荷重の集中を避け、ショックを和らげて使用感を向上させるクッションの部分に、２分割した構造となすこと。
（２）剛体で作った台の部分については、首の裏側ｃが高く後頭部の凸部ｄが低い斜面となすこと。
以上２点の改善を行なうことにより、睡眠導入時におけるマットの歪を小さくして、形が安定するまでのタイムラグを少なくして、安定的に支える構造と成したものであって、以下図によって具体的に説明する。
図３は台形柱型枕台１２とクッション１０を用いた方法の、本発明による枕を示す斜視図であって、台形柱型枕台１２は、底面を水平面として、上面は水平面に対して、１２の前面側が高く１２の後面側が低い斜面となしている。
（１２の前面の上下の線、及び、１２の後面の上下の線は平行で、１２の前面の高さ１２Ｈ３は１２の後面の高さ１２Ｈ４より高い、六面体の台である）
クッション１０は台形柱型枕台１２の上面に付設した装着用マジックテープ１１によって装着して枕として利用される。（但し、クッション１０の底部にはマジックテープ１１の相手側の、マジックテープの装着が必要である）
台形柱型枕台１２はプラスチックや金属、コルク、木材等のクッション材に比べて歪の小さな剛体を利用することで、複合的な歪を小さくすること及び、クッション１０を自由に交換できる利便性を有する枕となしたものである。
図４は、本発明による下駄型枕台１３とクッション１０を用いた方法の、本発明による枕を示す斜視図であって、下駄型枕台１３は絨毯のように、通常（寝具用）のマットと異なり、歪の量が少ない敷物の上で、眠るときに用いる場合に効果の高い枕台である。
絨毯のようにマットに比べて薄く、垂直方向の歪量が小さな敷物の上で、眠るときには、枕の受ける、垂直の歪に関する量が小さくなることから、台形柱型枕台１２のように底面積を広くして荷重の圧力を小さくして受ける必要がないことから、クッション１０を乗せる斜面を確保する方法として、下駄型バランサー１３Ｂを用いた構造と成したものである。
本発明による下駄型枕台１３の構造はクッションを乗せる目的の設置用板１３Ａへ、設置用板１３Ａの前面を高く維持して傾斜面とする目的の、下駄の歯型バランサー１３Ｂ及び、クッションの装着用マジックテープ１１を付設したものである。
枕としての使用方法は、クッション１０を装着用マジックテープ１１の上へ重ねて乗せて使用する。（但し、クッション１０の底部にはマジックテープ１１の相手側の、マジックテープの装着が必要である）【０００５】  次に、木の床などの滑りやすいところを利用して、短時間の睡眠をとるなどの場合に、台形柱型枕台１２又は下駄型枕台１３を用いた枕（（以下、本発明の枕と言う）を利用する場合の、アダプターについて説明する。
仰向けの姿勢で枕を使用するときには、枕に掛かった荷重による水平な前後（足の方向を前、頭の方向を後ろと表記する）の分圧により枕自身が歪むことや枕が動くことがあり、これが原因となって、適正な枕の位置が決まらない事態が発生する。
絨毯や木の床などに枕を設置した場合、枕の負荷に対する、設置場所を含めた垂直方向の歪は小さいが、身長方向の水平な分圧負荷に対しては（床面の滑りによる枕の移動等もあり）体と枕の位置関係に悪い影響を与える。
（本発明の枕は、従来の枕に比べればその影響は小さくなるが）
しかし、これらの悪い影響を除くことが可能であれば、絨毯や木の床などに身体を伸ばして仰向けの姿勢で短時間仮眠することは、体全体に安定感と反転性もよいことから、手軽で効果の高いリラクゼーションを得ることが出来る。
本発明は、身長方向の水平な前後の分圧負荷による、枕への悪い影響を排除して、さらに快適な枕となすための枕用の下敷きについて、以下図を持って説明する。
図５は本発明による下敷用板型アダプター１４の原理を示す斜視図である。
下敷用板型アダプター１４は薄い直方体の板状のクッション１４Ａの、上部の表面へ、本発明の枕の設置位置の表示１４Ｐ１、頚椎〜胸椎の部分を支えるクッション１５Ｃの設置位置１４Ｐ２、腰椎の付近を支える補強板１５Ｅの設置位置１４Ｐ３を点線で表示したものである。
板状のクッション１４Ａの材質は、マットに使用されるウレタンフォームより硬く歪の小さな材質で、強度があるウレタンフォーム又はポリエチレンの板を用いることにより、これを枕の下に敷いた場合上下の歪は小さく、又、身長方向の中央部の歪は、クッション１４Ａの身長方向の広い断面で支えるため小さくすることが出来る。
従って、予め枕を使用する人の体型や好みに合わせて、枕の設置位置Ｐ１の枠内での適当な位置へマークして、本発明の枕を置いて使用すれば、体質体型にマッチした睡眠導入時の枕のベストな位置が確保できる。
１４ＰＯで示した位置は、本発明の枕をクッション１４Ａの外枠に設置する位置を示す。（この場合、枕の高さはマットの厚みの分だけ相対的に低くなる）
因みに、良質な睡眠は、睡眠導入時の姿勢維持が重要であるが（筋肉系の弛緩から精神系の弛緩へ）、しかし、睡眠中の全時間をおなじ姿勢で過ごすわけではないので、睡眠導入時の仰臥の姿勢を基本として、睡眠に入れば自由に形が変わることから、本発明の枕の機能が必要な部分は中央であり、点線１４Ｐ４左及び１４Ｐ４右で示した両側の範囲は、クッション材で土手を作り寝返りを打った場合の頭部受け（枕の側面）として活用することにより、本発明の枕をコンパクトなものとして簡便化を図ることが出来る。
次に、下敷用板型アダプター１４の実施態様例として、本発明による、台形柱型枕台１２及び下駄型枕台１３を付設できる構造の板型アダプターについて説明する。【０００６】  図６は、本発明による、高さの調整板を付設出来る構造の板型アダプターセット１５へ、台形柱型枕台１２をセットした、使用例を示す斜視図である。
板型アダプターセット１５は、図５の板状のクッション１４Ａと同様の板状クッションへ、設置位置を示す点線１４Ｐ１と点線１４Ｐ２及び１４Ｐ３の三箇所に対応する位置に、夫々脱着用のマジックテープを付設した板状のクッション１５Ａと板状のクッション１５Ａへ敷設したマジックテープによって脱着して利用する付属品より構成される。
付属品は三種類あり、第一の付属品は、本発明による枕台の下に敷いて、高さを調整するための調整板１５Ｂである。
第二の付属品は、頚椎〜胸椎の部分を支えて、少し上体を起こす役割のクッション１５Ｃとクッション１５Ｃの下部に敷いて、クッション１５Ｃの高さを調整するための調整板１５Ｄであって、クッション１５Ｃの形状は概略台形柱又は三角柱となり、クッション１５Ｃの表面は足側が低く頭側が高い斜面である。
第三の付属品は、腰椎の下部付近（又は臀部付近）を支える補強板１５Ｅであって、補強板１５Ｅは、図１において、臀部の最低の位置を示す点ａ〜背中の部分で最低の位置ｂの間にあって、身体の浮き上がった個所を一部少し埋め合わせるための、肩幅の方向が長い、長方形の補強板であって、これを使用することで、仰向けに寝転んだ姿勢においての、腰椎への垂直な圧力を支えることで負担を緩和すること、及び、上体を起こすとき、寝返りをおこなう動作のとき、動作の力点（支点）が安定して追従することから、寝返りも容易となる。
尚、三種類の付属品は適宜、必要に応じて、所定の位置で、マジックテープで脱着して使用する（図６は、調整板１５Ｂを２枚、１５Ｃを１枚と１５Ｄ１枚、１５Ｅを１枚、をそれぞれの位置に装着した状態を示している）、又材質はクッション１５Ａと同質程度での制作が可能である。
図６では、台形柱型枕台１２を装着した図面となっているが、実際に使用するためには、台形柱型枕台１２の表面にクッション１０等の好みのクッションを乗せえて使用することとなる。
図７は、図６で使用した台形柱型枕台１２に替えて、本発明による下駄型枕台１３とクッション１０を装着した図面であって、機能等の内容については、図６と同じである。
板型アダプターセット１５を使用する際、長時間使用や上体を起こした状態で仰向けに寝る場合には、上体の下方への（足の方への）移動を防止するために、補強板１５Ｅの位置をずらして、図１で示した、臀部の最低の位置ａより少し下方へ移動させて設置して使用するか、若しくは臀部の最低の位置ａより下方へ補強板を新しく設置して、上体の下方への移動を防止することで、頭部５の枕上の位置を安定させる事が出来る。
本発明による枕台である、台形柱型枕台１２及び下駄型枕台１３は枕台の高さや前後の傾き及び左右の傾きを変更し調節することなく、固定した枕台であるが、次に枕台の高さや前後の傾き及び左右の傾きを調節して変更できる構造の枕台について説明する。【０００７】  図８に、本発明による、傾斜角と高さの調節を行なう枕台１６を示す。
傾斜角と高さの調節を行なう枕台１６は、板状のベース２７と、クッション１０を付設するためのクッション用支持板１９、との間の前後を、前側に付設したパンタグラフ型ジャッキ１７前と後側に付設したパンタグラフ型ジャッキ１７後で連結した構造と成したものである。
パンタグラフ型ジャッキ１７前の駆動用手動ハンドル２３前と、パンタグラフ型ジャッキ１７後の駆動用手動ハンドル２３後を手動操作して、パンタグラフ型ジャッキ１７前とパンタグラフ型ジャッキ１７後の高さを変更しすることによって、クッション用支持板１９の高さと前後の傾斜角を調整して、任意の高さと角度を得て枕台として使用できる構造である。
図９は、本発明による、高さ及び前後左右を傾斜させる機能を付加した、枕台５２の構造を示す。
板状のベース２７とクッション用支持板１９、との間の前後を、前側に付設したパンタグラフ型ジャッキ１７前と後側に付設した後の回転装置１８で連結した構造と成し、パンタグラフ型ジャッキ１７前の駆動用手動ハンドル２３前を手動操作してパンタグラフ型ジャッキ１７前の高さを変更してクッション用支持板１９の傾斜角を調整する。
又、板状のベース２７はその下部に板状のベース４６との間の左右を、左側にセットされたパンタグラフ型ジャッキ３５左と右側にセットされたパンタグラフ型ジャッキ３５右で連結された構造である。
ゆえに、パンタグラフ型ジャッキ３５左の駆動用手動ハンドル３７左と、パンタグラフ型ジャッキ３５右の駆動用手動ハンドル３７右を操作して、パンタグラフ型ジャッキ３５左とパンタグラフ型ジャッキ３５右の高さを変更することによって、板状のベース２７とクッション用支持板１９の左右の傾きと高さを調整できる構造と成している。
従って、本発明による、高さ及び前後左右を傾斜させる機能を付加した枕台５２は、駆動用手動ハンドル２３前、駆動用手動ハンドル３７左、駆動用手動ハンドル３７右の３箇所のハンドルを操作することで枕の高さと、前後，左右の傾きを調整する機能を付加した枕台である。
【実施例】
【０００８】  第１０図によって、本発明による、高さ及び前後左右を傾斜させる機能を付加した、枕台５２の実施態様例を示す。
図１０は本発明による、高さ及び前後左右を傾斜させる機能を付加した枕台５２へ、本出願人が提案した枕（実用新案登録第３１１６７６６号の枕であって、以下先の提案の枕と言う）を乗せて利用する例を示す図面である。
図１０において、先の提案の枕６０Ｗは、左側の軸６１左を中心として回転する板状カム５５左と、右側の軸６１左を中心として回転する板状カム５５右の作用によって、軸６１左と軸６１右の間の中心部へ、仰向けに首筋から後頭部を乗せると、板状カム５５左と板状カム５５右が後頭部を左右から挟むように支えて安定させる構造である。
この構造の場合、寝返りを打つために頭部をずらすと、板状カム５５左と板状カム５５右のいずれかが外側に回転して、寝返りの動作を容易に行える他、板状カム５５左とクッション５７左で作る谷間５６左又は、板状カム５５右とクッション５７右で作る谷間５６右によって、寝返り後の姿勢を安定させることも特徴となしている。
図１０に示すように、高さ及び前後左右を傾斜させる機能を付加した枕台５２へ、先の提案の枕６０Ｗ乗せて利用した場合においては、駆動用手動ハンドル、２３前と３７左及び３７右を操作して、個々の体型や感覚にマッチした頭部５のポジションを作ることを可能として、良質な睡眠を得る枕となしている。
他方、駆動用手動ハンドル、２３前と３７左及び３７右の操作を、動力を使用することで、自動制御が可能である。
図１１は、図１０で示した二つのカム（板状カム５５左と板状カム５５右）に替えて、簡便化した一個のカムの使用で機能させる、板状のシングルカム５５Ｓを使用した、シングルカム型の枕６０Ｓを、高さ及び前後左右を傾斜させる機能を付加した枕台５２へ乗せて使用する例を示す。
図１１に示すシングルカム型の枕６０Ｓにおいては、図１０で説明した、板状カム５５左と板状カム５５右が首筋から後頭部にかけた部分を左右から挟むように支えて、安定させる機能を持っていない。
従って、これと同様の効果を持つ機能を付加するためには、クッション５４Ｓの左右の中央部に三角堰きを設けた形となす他、板状カム５５左と板状カム５５右と、同様の動きをするカム状のものを配置することで解決する。
又、板状のシングルカム５５Ｓへ、板状カム５５左と板状カム５５右の機能を付加することにより、寝返り時の回転のスムースさはもとより、自動制御を行う場合にも簡便である等さらに利点が多いものとなる。
図１２はクッション５４Ｓが受ける歪（首の裏側ｃから、後頭部の凸部ｄ方向へ向かう水平方向の力による歪）の影響を小さくすることで、より安定感を増加させると共に、寝返りをさらに容易にするための壁６５Ａを付設した、壁付きシングルカム６５の構造を示す斜視図である。
壁付きシングルカム６５の構造は、板状のベース６５Ｃ１の、下部の左右の中心へ軸受６５Ｃ２を付設し、板状のベース６５Ｃ１の上部の前方へは、ポリエチレン等のクッション材よりは硬い材質で形成された剛体の壁６５Ａ２及び、体との接触部へ当たるクッション６５Ａ１より構成された壁６５Ａを付設し、上部の後方（壁６５Ａの後ろ）には、主として頭部５を乗せるクッション６５Ｂが付設されている。
壁付きシングルカム６５の使用方法は、図１１で示したシングルカム型の枕６０Ｓのクッション５４Ｓと板状のカムベース５５Ｓに替えて用いる。
（軸受け６２Ｓからカムベース５５Ｓを外して、軸受け６２Ｓへ軸受け６５Ｃを軸６１Ｓで連結することで可能）
壁６５Ａについては、板状のベース６５Ｃ１から切り離して独立させて、板状のベース６６Ｃ１の前面へ設置した構造となしても同様の効果が発揮できる。
（壁６５Ａは頭部５においても、首の裏側ｃの近傍の位置であって、左右の短い範囲で必要なものであることから、必ずしも回転することを必要としない）
図４に示す本発明による下駄型枕台１３において、高さの変更を行なう機能を付加する為には、下駄の歯型バランサー１３Ｂの高さ方向を伸縮する構造となすことで可能となる。
尚、本発明による枕台は、個々に適合した仰向けの姿勢をつくり、この姿勢を一定の間維持して、筋肉系から安全、安心、安静感を得てストレスを小さくして、睡眠に入り易く、又このような状況で睡眠に入ることで、質の良い眠りを得るために必要な用具である。
従って、基本的な形として、本発明の枕台（１２、１３、１６，５２）の左右の幅は仰向けの姿勢において、頭部５が左右に十分に傾けられる程度の大きさでよく、又、前後の幅は図１に示したＬ２を超えて、首の裏側ｃから頭部の頂点を超えない範囲で選択する（頭部の頂点６を超えた場所では枕が頭部５を支持できない）枕としての構成は、中央に本発明の枕台（１２，１３，１６，５２から選定したもの）を据えて、その上部へ仰向け用クッションを、左右へは寝返り用クッションを配置した形となる。
仰向け用クッション及び、寝返り用クッションの形状は、個々の体型や好みに合わせて夫々単独に設計して、本発明の枕台の左右と上部にセットして、本発明の枕となす。
本発明の枕の形状お特徴的なものは、中央の本発明の枕台を必要とする部分は固定的な寸法であるが、左右の両側の寝返り用クッションは大きく前にはみ出させるなど、個々の体型、体質、用途、用法に適合させて設計して用いて利用できる利便性のある枕となる。
【発明の効果】
【０００９】  本発明の四種類の枕台（台形柱型枕台１２、下駄型枕台１３、傾斜角と高さの調節を行なう枕台１６、高さ及び前後左右を傾斜させる機能を付加した枕台５２）を用いた枕については、個々に適した仰向けの姿勢を安定して維持する機能から、筋肉系から、安静観と開放感を感じ、リラクゼーションして眠ることが出来る。
（その理由は、斜面を有する剛体を基礎的に使用することにより、上部に乗せるクッションから受ける好感度の幅を広げて、寸法的な互換性の領域を広げてクッションの選択を容易にし、他方、クッションの性能が充分に発揮する枕台となしたことによる）
又、図１０、図１１に示した枕６０Ｗや６０Ｓを乗せた本発明による枕台の場合は、首の裏側ｃ〜後頭部の凸部ｄが、しっくり、確りと支えられて、寝返りが容易な枕＝安静観と開放感をより高く与える枕となることから、肉体的，精神的な休息のための転寝用枕としても、リラクゼーション効果の大きい枕である。
続いて、椅子の背もたれを倒して、仰向けに眠る場合などにおいて、図１０に示した本発明による枕台５２に枕６０Ｗを乗せた組み合わせによる枕を、椅子に装着して用いる場合の効果について以下説明する。
背もたれを倒して眠ることができる椅子（リクライニング機構のある椅子）の、背もたれを倒して仰向けに眠る場合には、椅子のシートと背もたれで身体を受けていることから、上半身の上下左右の移動が小さい、したがって睡眠時の筋肉の弛緩による身体の揺らぎは、頭部５の左右の揺らぎが最も大きなものである。（又、この条件にあてはまる、背もたれの傾斜角度の幅も大きい）
他方、図１０に示した、高さ及び前後左右を傾斜させる機能を付加した枕台５２は枕６０Ｗとの組み合わせによる本発明の枕は、頭部５の無意識の動き（揺らぎ）を、クッション５７左、クッション５７右を左右のストッパーとして利用できることから、首に負担のかからない範囲（安眠を妨げない範囲）で自由な動きを妨げることなく、安眠を助長する枕となる。（首の筋肉の安定的な弛緩が可能な枕となる＝良質な睡眠を得る枕）
さらに、枕台５２に枕６０Ｗ又は６０Ｓを乗せた組み合わせによる枕は、中央部の三角堰き状の窪みにより、中央部の仰向けの姿勢の保持の機能に優れていること、又上体を起こした形の姿勢で枕を使用することは、首や頭部が枕から受ける表面圧力が水平の状態より減少してくることから、姿勢保持の機能のあることが有効に働くこととなる。（重力に頼らない姿勢保持による姿勢保持の安心機構能力の発揮、特に６０Ｗや６０Ｓの制御を行うこと）
図１０において、枕台５２の三個の駆動用ハンドル（２３前、３７左、３７右）の駆動をモターでの駆動に変更して、各種のセンサによる入力信号で、自動制御をおこなう場合における効果について記述する。
枕台５２は、高さ及び前後左右の傾きを調整して変更できる枕台である。
従って、この枕台５２の機能を自動化することは、自動化した機能を使って、頭部５の枕の上での位置や姿の変更（頭部５を左側へ傾ける、右側へ傾ける、中央へ戻す、後屈させる、前屈させる、上げる、下げる等）を強制的に行うことができる機能を持った枕となる。
又、この機能をリクライニングチェアの背もたれへ装置して、睡眠時に使用するときには、上体の位置の変動が小さいことから、正確な頭部５の位置や寝姿のコントロールが可能となる。
頭部５の位置や寝姿を変化させることは、睡眠期間中の皮膚の局部への長時間の圧迫を避け、これを一定のリズムにより行うことでより大きなリラクゼーションを得ること、脳波をセンサとしてタイミングの良い目覚ましを行うこと、睡眠中の呼吸停止時など頭部後屈の姿勢を行い気道確保の補助的行為を行う等、多方面に利用することが可能である。
頭部５の位置や寝姿のコントロールについては、６０Ｗに変えて、６０Ｓを適用したものも同様の効果があり、又６０Ｓを適用した場合には軸６１Ｓを経由して板状カム５５Ｓを自動的に回転させる構造となすことも可能である。
６０Ｗの板状カム５５左、板状カム５５右も自動化できることから、板状カム５５左と板状カム右とで作る角度を自由に変化させて活用できる（例えば、眠りにつくまでは、５５左と５５右の中央部を逆三角形となる形として頭部から首の部を挟んで安定させた後、５５左と５５右を水平に戻すなど）
又、本発明は高さを変更する器具として、パンタグラフ型ジャッキ（１７前、３７左、３７右）を使用しているが、本ジャッキに替えて油圧使用のジャッキ等の使用も可能である。
図１３は、本発明による、枕台５２と二つのカムを使用した枕６０Ｗをベッドに装備して使用する場合の、配置例を示す平面図である。
マットは中央部と左右のマットに三分割して、中央部のマットは臀部の最低の位置ａより下側（足より）方向の一部に、足方向に登る斜面を作り、上半身が下方へ逸脱しない構造となす。
又、左右のマットは外側が高い斜面となして、中央部のマットへは、中央部のマットと同等か若しくは少し高めに設置する構造となすことにより、上半身の左右の移動範囲を、必要かつ十分な条件での自由度の中で、制限することができる。
従って、図１３に示すベッドへの、本発明による枕台５２と枕６０Ｗの装備は、リクライニング機構を有する椅子の背もたれへ装備したものと比べて、同様な効果が可能であるが、身体の自由度の観点からみれば、図１３に示すベッドのほうがクッション５７左とクッション５７右が、スペースの関係で任意の形状で使用できる点自由度が高い寝具となる。
尚、中央部のマットを、中心線を軸として、少し左右に回転させて傾かせることで、寝返りを助長すること及び、強制的に寝返りを行う寝具となすことができる。
【図面の簡単な説明】
【００１０】
【図１】  図１は水平に敷かれた敷布団やベッドのクッションの上に体を、真っ直ぐに伸ばして仰向け枕を使用して寝た場合の、体の中心部に置ける断面の輪郭を、左手の方向から見た側面図である。
【図２】  図２は汎用の枕を示す斜視図でアル。
【図３】  図３は台形柱型枕台１２とクッション１０を用いた方法の、本発明による枕を示す斜視図である。
【図４】  図４は下駄型枕台１３とクッション１０を用いた方法の、本発明による枕の斜視図である。
【図５】  図５は本発明による下敷用板型アダプター１４の原理を示す斜視図である。
【図６】  図６は、本発明による、高さの調整板を付設出来る構造の板型アダプターセット１５へ、台形柱型枕台１２をセットした、使用例を示す斜視図である。
【図７】  図７は、本発明による、高さの調整板を付設出来る構造の板型アダプターセット１５へ、下駄型枕台１３とクッション１０をセットした、使用例を示す斜視図である。
【図８】  図８は、本発明による、傾斜角と高さの調節を行なう枕台１６の構造を示す側面図（Ａ図）及び正面図（Ｂ図）である。
【図９】  図９は、本発明による、高さ及び前後左右を傾斜させる機能を付加した枕台５２の構造を示す側面図（Ａ図）及び正面図（Ｂ図）である。
【図１０】  図１０は、本発明による、高さ及び前後左右へ頭を傾斜させる機能を付加した枕台５２へ、先の提案による枕６０Ｗを乗せて使用する例の図面である。枕６０Ｗへ頭部５を乗せた状態で、頭部の頂点６の方向から見た正面図である。（説明をわかり易くする為、枕台５２と枕６０Ｗを離した図面としたが、実際は上下が密着している状態である）
【図１１】  図１１は、本発明による、シングルカム型の枕６０Ｓへ頭部５を乗せた状態を示す正面図である。（頭部の頂点６の方向から見た正面図）
【図１２】  図１２は壁６５Ａを付設した、壁付きシングルカム６５の構造を示す斜視図である。
【図１３】  図１３は、本発明による、枕台５２と二つのカムを使用した枕６０Ｗをベッドに装備して使用する場合の、配置例を示す平面図である。
【符号の説明】
【００１１】ａ．マットに沈んだ臀部の最低の位置を示す点（最も沈んだ部分の位置）
ｂ．マットに沈んだ背中の部分で最低の位置を示す点（最も沈んだ部分の位置）
ｃ．首の裏側（仰向けに寝た状態で、頚椎の下側）の部分であって、直線Ｘ−Ｘ’線までの距離が最も長い地点を示す点である
ｃ’．点ｃから線Ｘ−Ｘ’へ下ろした垂線が、線Ｘ−Ｘ’と交わる点
ｄ．後頭部の凸の部分であって、直線Ｘ−Ｘ’線までの距離が最も短い地点を示す点である
ｄ’．点ｄから線Ｘ−Ｘ’へ下ろした垂線が、線Ｘ−Ｘ’と交わる点
Ｈ１．点ｃ〜点ｃ’間の距離（点ｃの直線Ｘ−Ｘ’からの高さ）
Ｈ２．点ｄ〜点ｄ’間の距離（点ｄの直線Ｘ−Ｘ’からの高さ）
Ｌ１．点ｂ〜点ｃ’間の距離（間隔）
Ｌ２．点ｃ’〜点ｄ’間の距離（間隔）
Ｘ−Ｘ’．点ａと点ｂを通る直線
１．胸
２．首
３．顎
４．鼻
５．頭部
６．頭部の頂点（直立した姿勢における頂点の個所の部分）
７．従来から広く使用されている枕
７Ｃ．首方向の土手
７Ｄ．窪み
８．クッション材の部分
９．芯の部分
１０．本発明による枕台１２へ、装着する緩衝用クッション
１０Ｃ．首方向の土手
１０Ｄ．窪み
１０ＴＰ．土手１０Ｃの最高地点
１１，装着用マジックテープ
１２．本発明による台形柱型枕台
１２の前面．台形柱型枕台１２を設置して使用する場合、首２の方向へ向いた面（図１において、頭部５の下部へ台形柱型枕台１２を設置して使用する場合、その方向を首２の方向側と、頭頂６の方向側に分類し、首２の方向側を前として、頭頂６の方向側を後と言うことと定めて、以下同様に用いることとする）
１２の後面．１２の前面と反対側の面
１２の左面．仰向けの姿勢で寝て、台形柱型枕台１２を設置して使用する場合、使用者の左耳側に位置する面（台形柱型枕台１２を設置して、台形柱型枕台１２の中央部に頭部５を乗せ仰向けに寝た状態で、左耳側を左、右耳側を右と言うことと定めて、以下同様に用いることとする）
１２の表面．台形柱型枕台１２の上部の面であって、緩衝用クッション１０を装着する、前面側が高く、後面側が低い傾斜面である。
１２ＣＴ．１２の表面と１２の前面との接触する線（稜線）の位置（高さ）を示すポイント
１２Ｈ３．本発明による台形柱型枕台１２の底面から、１２の前面の上端までの垂直の高さ
１２Ｈ４．本発明による台形柱型枕台１２の底面から、１２の後面の上端までの垂直の高さ
１２Ｌ３．本発明による台形柱型枕台１２の幅
１３．本発明による、下駄型枕台
１３Ａ．クッションの設置用板
１３Ａの前面．１３Ａの前側の面
１３Ａの後面．１３Ａの後側の面
１３Ａの左面．１３Ａの左側の面
１３Ｂ．下駄の歯型バランサー
１３Ｈ５．下駄型枕台１３の設置面から、１３Ａの前面の上端までの高さ
１３Ｈ６．下駄型枕台１３の設置面から、１３Ａの後面の上端までの高さ
１３Ｌ４．設置用板１３Ａの幅
１４．本発明による枕台の下敷用板型アダプター
１４Ａ．板状のクッション
１４Ｈ５．板状クッション１４Ａの厚み
１４Ｌ５．板状クッション１４Ａの横幅（両肩方向の長さ）
１４Ｌ６．板状クッション１４Ａの長さ（身長方向の長さ）
１４Ｐ０．枕台の設置位置を示す点線（板状クッション１４Ａの外へ設置）
１４Ｐ１．枕台の設置位置を示す点線（板状クッション１４Ａの上部へ設置）
１４Ｐ２．頚椎の下部〜胸椎の上部を支えるクッション１５Ｃの設置位置を示す点線
１４Ｐ３．腰椎の下部付近（又は臀部付近）を支える補強板１５Ｅの、設置位置を示す点線
１４Ｐ４左．中心部へ本発明の枕を置いた場合の左側の余地を示す点線の囲み
１４Ｐ４右．中心部へ本発明の枕を置いた場合の右側の余地を示す点線の囲み
１５．本発明による、高さの調整板を付設出来る構造の板型アダプターセット
１５Ａ．調整板の付設用板状のクッション
１５Ｂ．本発明による枕台の、位置（高さ）の調整板
１５Ｃ．頚椎の下部〜胸椎の上部を支える、台形柱型のクッション
１５Ｃの表面．台形柱型のクッション１５Ｃの上面（傾斜面）
１５ＣＬ．台形柱型のクッション１５Ｃの幅
１５ＣＴ．１５Ｃの表面の、斜面の稜線の位置（高さ）を示すポイント
１５Ｄ．台形柱型のクッション１５Ｃの設置位置（高さ）の調整板
１５Ｅ．腰椎の下部付近（又は臀部付近）を支える補強板
１５Ｈ５．付設用板状のクッション１５Ａの厚み（縦幅）
１５Ｈ６．板状のクッション１５Ａの設置面から、本発明による台形柱型枕台１２を設置する（乗せる）平面までの高さ
１５Ｈ７．板状のクッション１５Ａの表面から、本発明による台形柱型枕台１２を設置する（乗せる）平面までの高さ
１５Ｈ８．クッション１５Ａの表面から、１０Ｃの最高地点１０ＴＰまでの高さ
１５Ｈ９．高さを示すポイント１５ＣＴから１０Ｃの最高地点１０ＴＰまでの高さ
１５Ｈ１０．クッション１５Ａの表面から、１０Ｃの最高地点１０ＴＰまでの高さ
１５Ｌ５．板状のクッション１５Ａの横幅
１５Ｌ６．板状のクッション１５Ａの長さ
１５Ｌ７．点１２ＣＴとして示したポイントの乗る稜線と、点１５ＣＴとして示したポイントの乗る稜線間の水平距離（本発明による台形柱型枕台１２と台形柱型のクッション１５Ｃとの、設置位置のクリアランスを示す）
１５Ｌ８．１３Ａの前面と、点１５ＣＴとして示したポイントの乗る稜線間の水平距離（本発明による下駄型枕台１３と台形柱型のクッション１５Ｃとの、設置位置のクリアランスを示す）
１６．本発明による、傾斜角と高さの調節を行なう枕台
１７前．枕台１６の前側へ付設された、パンタグラフ型ジャッキ
１７後．枕台１６の後側へ付設された、パンタグラフ型ジャッキ
１８．後の回転装置
１９．クッション１０を付設するための、クッション用支持板
２０．クッション用支持板１９の、前面側及び後面側の下部へ付設した軸受け
２１．軸
２２．パンタグラフ型ジャッキ１７前及び１７後の動力用ネジ（オネジ）
２３前．パンタグラフ型ジャッキ１７前の駆動用手動ハンドル
２３後．パンタグラフ型ジャッキ１７後の駆動用手動ハンドル
２４．パンタグラフ型ジャッキ１７前の下部へ付設した軸受け
２５．軸
２６、ベース２７へ付設した軸受け
２７．板状のベース
２８．パンタグラフ型ジャッキ１７前及び１７後の上部に付設した軸受け
２９．パンタグラフ型ジャッキ１７前及び１７後のアーム（上側）
３０．パンタグラフ型ジャッキ１７前及び１７後のアーム（下側）
３１．セット用ボルト
３２．ベース２７へ付設した固定板（パンタグラフ型ジャッキ１７後の上下運動の際、傾きを防ぐ目的で設けられた固定板）
３３．軸
３４．軸
３５左．左側にセットされた、パンタグラフ型ジャッキ
３５右．右側にセットされた、パンタグラフ型ジャッキ
３６．３５左及び３５右の上部に付設した軸受け
３７左．パンタグラフ型ジャッキ３５左の駆動用手動ハンドル
３７右．パンタグラフ型ジャッキ３５右の駆動用手動ハンドル
３８．３５左及び３５右のアーム（上側）
３９．３５左及び３５右のアーム（下側）
４０．軸
４１．クッション用支持板１９の後側上部に付設した軸受け
４２．板状のベース２７の後側上部に付設した軸受け
４３．板状のベース２７の佐側及び右側の下部に付設した軸受け
４４．軸
４５．パンタグラフ型ジャッキ３５左及び３５右の動力用ネジ（オネジ）
４６．ベース
４７．ベース４６の左側上部へ付設した軸受け
４８．軸
４９．パンタグラフ型ジャッキ３５左の下部に付設した軸受け
５０．セット用のボルト
５１．ベース４６の右側上部へ付設した、固定用プレート
５２．本発明による高さ及び前後、左右の傾きを調整する枕台
５３左．左耳
５３右．右耳
５４．回転カム５５左及び回転カム５５右へ付設したクッション
５４Ｓ．板状カムベース５５Ｓに敷設したクッション
５５左．軸６１左を中心として回転する板状のカム
５５右．軸６１右を中心として回転する板状のカム
５５Ｓ．軸６１Ｓを中心として回転する板状のカム（５５左、５５右との混同を避けるため、シングルカム５５Ｓとも記述する）
５６左．板状のカム５５左とクッション５７左の間の隙間
５６右．板状のカム５５右とクッション５７右の間の隙間
５６Ｓ左．板状のカム５５Ｓと
５６Ｓ右．板状のカム５５Ｓ
５７左．板状のベース６３の左端（カム５５左の左側）に付設したクッション
５７右．板状のベース６３の右端（カム５５右の右側）に付設したクッション
５７Ｓ左．板状のベース６３Ｓの左端（５５Ｓの左側）に付設したクッション
５７Ｓ右．板状のベース６３Ｓの右端（５５Ｓの右側）に付設したクッション
５８．頭部５が左耳５３側へ回転する方向を示す矢印
５９．頭部５が右耳５３側へ回転する方向を示す矢印
６０Ｗ．板状のカム５５左と板状のカム５５右の、二つのカムを使用した枕
６０Ｓ．軸６１Ｓを中心として回転する、板状のカム５５Ｓ一個を使用した枕
６１左．軸
６１右．軸
６１Ｓ．軸
６２左．板状のベース６３の、中央部の左よりに付設した軸受け
６２右．板状のベース６３の、中央部の右よりに付設した軸受け
６２Ｓ．板状のベース６３の中心に付設した軸受け
６３．板状のベース
６３Ｓ．板状のベース
６４．仰向けの姿勢において頭部５を頭部の頂点６の後側から見た頭部５と顔面の輪郭図
６５．壁付きシングルカム
６５Ａ．壁
６５Ａ１．剛体の壁６５Ａ２の角にあてがう緩衝用クッション
６５Ａ２．剛体の壁
６５Ｂ．クッション
６５Ｃ．板状カム
６５Ｃ１．板状カムベース
６５Ｃ２．軸受
６５Ｃ３．軸穴
６６．窪み
【図１】
2013158639.tif 000003
【図２】
2013158639.tif 000004
【図３】
2013158639.tif 000005
【図４】
2013158639.tif 000006
【図５】
2013158639.tif 000007
【図６】
2013158639.tif 000008
【図７】
2013158639.tif 000009
【図８】
2013158639.tif 000010
【図９】
2013158639.tif 000011
【図１０】
2013158639.tif 000012
【図１１】
2013158639.tif 000013
【図１２】
2013158639.tif 000014
【図１３】
2013158639.tif 000015